(57)【要約】【課題】  家庭内で新聞を閲覧する際に、新聞の左右二ページ分を同時に閲覧する場合でも片手で支持でき、かつ筆記用具類や照明にも配慮した新聞閲覧ホルダーを提供する。【解決手段】  板（１）を二つ折りにした時の折目（１１）に垂直な横幅と折目（１１）に平行な縦幅が、それぞれ新聞一ページ分の各幅に比べて横幅はほぼ等しく縦幅は若干広くなる大きさにし、板（１）の折目（１１）の一端近接部に紐（２）を設け、紐（２）の先端にフック（３）を設け、板（１）の背面下縁寄りに戸当兼用グリップ片（４）を当接する一対の形態で設け、開口部（５２）に蓋（５７）を備えたポケット（５）を板（１）の背面下縁寄りに設け、板（１）の内面側の左右各縁近接部それぞれに上下一対の形態で支持片（６１）を設け、各一対の支持片（６１）にそれぞれ照明器具（６）を設けたことを特徴とする新聞閲覧ホルダー。【選択図】図１
2014113814.tif 000002
【特許請求の範囲】
【請求項１】
板（１）を、二つ折りにした時の折目（１１）に垂直な横幅と折目（１１）に平行な縦幅がそれぞれ新聞一ページ分の各幅に比べて横幅はほぼ等しく縦幅は若干広くなる大きさにし、板（１）の折目（１１）の一端近接部に紐（２）を設け、紐（２）の先端にフック（３）を設け、板（１）の背面下縁寄りに戸当兼用グリップ片（４）を折目（１１）の両側に近接して当接する一対の形態で設けた新聞閲覧ホルダー。
【請求項２】
開口部（５２）に近接して蓋（５７）を備えたポケット（５）を、板（１）の背面下縁寄りに設けた請求項１の新聞閲覧ホルダー。
【請求項３】
板（１）の内面側の左右各縁近接部それぞれに、上下一対の形態で支持片（６１）を設け、各一対の支持片（６１）にそれぞれ照明器具（６）を設けた請求項１の新聞閲覧ホルダー。
【発明の詳細な説明】
【技術分野】
【０００１】  本発明は、家庭内で新聞を閲覧する際に、快適にかつ気持を集中して閲覧できる新聞閲覧ホルダーに関するものである。
【背景技術】
【０００２】  従来、新聞閲覧ホルダーとして、表板部の折曲縁部に複数個配設した各切込長窓部で、新聞を裏板部にクリップで挟持するようにしたものがあった（特許文献１参照）。
【先行技術文献】
【特許文献】
【０００３】
【特許文献１】  特開２００２−２９３０７３号公報
【発明の概要】
【発明が解決しようとする課題】
【０００４】  これは、次のような問題点があった。
（イ）新聞の左右二ページ分を同時に閲覧したい場合、新聞閲覧ホルダーの展開角度を安      定に保ちながら手で支えるには両手を使う必要があり、片手だけで支えるのは困難      で、マーカーペンや筆記用具を使用したい時に不便であった。
（ロ）新聞を閲覧中に、マーカーペンやメモ用紙や筆記用具が必要になっても、それらが      手元にないことが多く、席を立ってそれらを保管してある所へ取りに行っていた。
（ハ）新聞紙面が閲覧に適した明るさに照らされるように、窓からの光や天井照明に対応      して、座る位置や姿勢を気にする必要があった。
本発明は、これらの問題点を解決するためになされたものである。
【課題を解決するための手段】
【０００５】  板（１）を、二つ折りにした時の折目（１１）に垂直な横幅と折目（１１）に平行な縦幅がそれぞれ新聞一ページ分の各幅に比べて横幅はほぼ等しく縦幅は若干広くなる大きさにし、板（１）の折目（１１）の一端近接部に紐（２）を設け、紐（２）の先端にフック（３）を設け、板（１）の背面下縁寄りに戸当兼用グリップ片（４）を折目（１１）の両側に近接して当接する一対の形態で設け、開口部（５２）に近接して蓋（５７）を備えたポケット（５）を板（１）の背面下縁寄りに設け、板（１）の内面側の左右各縁近接部それぞれに上下一対の形態で支持片（６１）を設け、各一対の支持片（６１）にそれぞれ照明器具（６）を設ける。
本発明は、以上の構成よりなる新聞閲覧ホルダーである。
【発明の効果】
【０００６】（イ）板を展開すると、板の背面に設けた一対の戸当兼用グリップ片が互いに当接して板      の展開角度が定まって安定に保たれ、かつその当接した一対の戸当兼用グリップ片      を片手で掴んで支える事ができるので、新聞の左右二ページ分を同時に閲覧する場      合でも両手で支える必要がなく、マーカーペンや筆記用具を使用し易くなる。
（ロ）板の背面に設けたポケットに、あらかじめマーカーペンやメモ用紙や筆記用具を収      納することができ、それらが必要になったらすぐに取り出して使うことができるの      で、新聞閲覧に気持を集中し易くなる。
（ハ）板の内面側の左右各縁側部それぞれに設けた照明器具によって、新聞紙面が左右か      ら照らされるので、新聞紙面上に陰影が出にくく閲覧し易いうえに、室内での座る      位置や姿勢をあまり気にせずに新聞を閲覧できる。
【図面の簡単な説明】
【０００７】
【図１】  本発明の背面側の斜視図である。
【図２】  本発明の使用状態の内面側を示す斜視図である。
【図３】  本発明の戸当兼用グリップ片部の拡大斜視図である。
【図４】  本発明のポケット部の拡大斜視図である。
【発明を実施するための形態】
【０００８】  以下、本発明の実施の形態について説明する。
（イ）熱可塑性合成樹脂の方形状からなる板（１）を、二つ折りにした時の折目（１１）      に垂直な横幅と折目（１１）に平行な縦幅がそれぞれ新聞一ページ分の各幅に比べ      て横幅はほぼ等しく縦幅は若干広い大きさに寸法取りし、板（１）のいずれか一方      の面内において、折目（１１）の部分に断面がＶの字形で深さが板厚の約半分の溝      （１２）を切削し、その溝（１２）が切削された面を板（１）の背面として識別す      る。
（ロ）板（１）の折目（１１）の一端近接部で、折目（１１）のいずれか一方の側に、紐      通し穴（１３）を貫通させ、その紐通し穴（１３）に一番近い板（１）の縁を下縁      として識別する。
（ハ）折目（１１）の長さにほぼ等くなるようにカットされた伸縮性の紐（２）の一端部      を紐通し穴（１３）に通し、紐通し穴（１３）と紐（２）が鎖状に繋がるように、      紐（２）の一端部を止め金具（２１）で圧接して止める。
（ニ）紐（２）の先端部を、繋ぎ穴を有し先端が鉤状の形をしたフック（３）の繋ぎ穴に      通し、フック（３）の繋ぎ穴と紐（２）が鎖状に繋がるように、紐（２）の先端部      を止め金具（２１）で圧接して止める。
（ホ）硬質の合成樹脂性で断面が己の字形に形成された戸当ベース（４１）の下側板面部      の二箇所に、それぞれリベット打ち用の穴を貫通させ、戸当ベース（４１）の上部      凹み（４２）に、幅が上部凹み（４２）の深さの寸法より若干広く、厚さが上部凹      み（４２）の幅の寸法にほぼ等しい耐磨耗性のゴム板（４３）を接着剤で固着して      戸当兼用グリップ片（４）を組み立てる。
（ヘ）板（１）の背面の下縁寄りにおいて、折目（１１）の両側で互いに向き合うように      近接する一対の折目近接部に、両戸当兼用グリップ片（４）を双方が近接して当接      する形態でリベット打ちして固着する。
（ト）両三角ひれ（５１）を内側に折り畳むようにして、開口部（５２）の辺を除く残り      三辺各方向それぞれに、側壁面及び胴熱圧着代（５３）を設けるように形成された      軟質の合成樹脂性の胴シート（５４）の各胴熱圧着代（５３）を、合成樹脂性の基      盤シート（５５）の平面上でその四方の辺に接して一周する熱圧着代を帯状に確保      した残り面部に熱圧着して固着し、つぎに開口部（５２）寄りで胴シート（５４）      を抱え込むように、軟質の合成樹脂性の蓋抑え用の帯（５６）の両端部それぞれを      各側の胴熱圧着代（５３）の上に重ねて熱圧着して固着し、さらに開口部（５２）      の辺に平行に近接して軟質の合成樹脂性の蓋（５７）の蓋熱圧着代（５８）を基盤      シート（５５）に熱圧着して固着しポケット（５）を組み立てる。
（チ）基盤シート（５５）の四方の辺に接して一周する熱圧着代として確保した帯状部分      を、板（１）の背面下縁寄りの面部に熱圧着してポケット（５）を固着する。
（リ）アルミニュウム性の長方形の板で、長手方向の一端近接部の面にリベット打ち用の      貫通穴を二箇所設け、他端近接部の面にボルト通し用の貫通穴を一箇所設け、長手      方向の中央面部を折り曲げて、Ｌの字形に屈曲した支持片（６１）を形成する。
（ヌ）板（１）の内面側の左右各縁近接部において、上下各縁に近接してそれぞれ支持片      （６１）をリベット打ちして固着する。
（ル）長さが折目（１１）の長さより若干短く断面がコの字形の外カバーを備えたＬＥＤ      照明器具（６）を、板（１）の内面側を照らす向きにして、左右各縁近接部それぞ      れに設けた上下一対の支持片（６１）に、それぞれボルト締めして取り付ける。
本発明は、以上のような構造である。
本発明を使用するときは、板（１）の内面側を展開し、その上に新聞（７）を中間ページを開いて載せ、板（１）の内側の折目（１１）上に新聞（７）の折目を重ね合わせたのち、新聞（７）の中間ページの折目に紐（２）を沿わせながら、紐（２）の先端に設けたフック（３）を板（１）の上縁に引っ掛けて新聞（７）を保持し、板（１）の背面に設けた一対の当接した戸当兼用グリップ片（４）を片手で掴んで板（１）を支持し、室内の照明状況に応じて板（１）の左右各縁側部に設けたそれぞれの照明器具（６）を点灯して新聞（７）を閲覧し、ポケット（５）内にマーカーペンやメモ用紙や筆記用具をあらかじめ収納しておき必要に応じてそれらを取り出して使用する。
【符号の説明】
【０００９】    １  板、  ２  紐、  ３  フック、  ４  戸当兼用グリップ片、  ５  ポケット、
６  照明器具、  ７  新聞、
１１  折目、    １２  溝、  １３  紐通し穴、
２１  止め金具、
４１  戸当ベース、  ４２  上部凹み、    ４３  ゴム板、
５１  三角ひれ、    ５２  開口部、      ５３  胴熱圧着代、
５４  胴シート、    ５５  基盤シート、  ５６  帯、
５７  蓋、          ５８  蓋熱圧着代、
６１  支持片
【図１】
2014113814.tif 000003
【図２】
2014113814.tif 000004
【図３】
2014113814.tif 000005
【図４】
2014113814.tif 000006